(57)【要約】【課題】画像の符号化データに対するセキュリティを確保した上で、画像の符号化データの試用データを配信する際の負荷を軽減する一方で、処理時間をかけさせずに、配信先の装置に高品質な符号化データを取得させることができる画像符号化装置を提供すること。【解決手段】画像を部分符号単位に分割できるように符号化する符号化部１１と、符号化部１１によって符号化された全体符号を一部の部分符号と少なくとも１つの他の部分符号とに分割する分割部１２と、他の部分符号を参照するためのリンク情報を一部の部分符号に埋め込むリンク情報埋め込み部１３と、一部の部分符号を端末装置４に伝送する第１伝送部１４と、第１伝送部１４と異なる伝送経路で他の部分符号をサーバ装置３に伝送する第２伝送部１５とを備える。【選択図】図２
2010109691.tif 000002
【特許請求の範囲】
【請求項１】
画像を部分符号単位に分割できるように符号化する符号化部と、
前記符号化部によって符号化された全体符号を一部の部分符号と少なくとも１つの他の部分符号とに分割する分割部と、
前記他の部分符号を参照するためのリンク情報を前記一部の部分符号に埋め込むリンク情報埋め込み部と、
前記一部の部分符号を第１装置に伝送する第１伝送部と、
前記第１伝送部と異なる伝送経路で前記他の部分符号を第２装置に伝送する第２伝送部とを備えた画像符号化装置。
【請求項２】
前記符号化部は、前記画像を階層符号に符号化し、
前記分割部は、前記階層符号の階層の境で前記全体符号を分割することを特徴とする請求項１に記載の画像符号化装置。
【請求項３】
前記画像と前記第１装置のユーザとの組み合わせに対してアクセス権が設定されたポリシーテーブルを備え、
前記リンク情報埋め込み部は、前記ポリシーテーブルに基づいて、前記一部の部分符号に前記リンク情報を埋め込むか否かを判断することを特徴とする請求項１に記載の画像符号化装置。
【請求項４】
前記符号化部は、前記部分符号が互いに相似な構造を持ち、一方の部分符号を伸長するためには、対応する他の部分符号を伸長しておく必要がある一方向性の依存関係を持つように、前記画像を符号化することを特徴とする請求項１に記載の画像符号化装置。
【請求項５】
前記符号化部は、離散コサイン変換方式によるＪＰＥＧ方式で前記画像を符号化し、
前記分割部は、ＤＣ成分を前記一部の部分符号とし、ＡＣ成分を前記他の部分符号として前記全体符号を分割することを特徴とする請求項４に記載の画像符号化装置。
【請求項６】
前記分割部は、ＤＣ成分およびＡＣ成分の一部を前記一部の部分符号とし、ＡＣ成分の残りの一部を前記他の部分符号として前記全体符号を分割することを特徴とする請求項４に記載の画像符号化装置。
【請求項７】
前記分割部は、前記ＡＣ成分のなかで、前記ＤＣ成分に近く、オクターブ数の少ないＡＣ成分を前記一部の部分符号とし、他のＡＣ成分を前記他の部分符号とするように前記全体符号を分割することを特徴とする請求項６に記載の画像符号化装置。
【請求項８】
前記符号化部は、階層型ウェーブレット変換符号化方式で前記画像を符号化し、
前記分割部は、前記階層型ウェーブレット変換符号化方式における階層の境で前記全体符号を分割することを特徴とする請求項４に記載の画像符号化装置。
【請求項９】
前記分割部は、輝度成分と色差成分との境で前記全体符号を分割することを特徴とする請求項４に記載の画像符号化装置。
【請求項１０】
前記分割部は、一部の領域と、該一部の領域以外の他の領域との境で前記全体符号を分割することを特徴とする請求項４に記載の画像符号化装置。
【請求項１１】
前記分割部は、前記一部の部分符号を含むＰＤＦファイルを生成することを特徴とする請求項４に記載の画像符号化装置。
【請求項１２】
画像符号化装置を用いて画像を符号化する画像符号化方法であって、
画像を部分符号単位に分割できるように符号化する符号化ステップと、
前記符号化ステップで符号化された全体符号を一部の部分符号と少なくとも１つの他の部分符号とに分割する分割ステップと、
前記他の部分符号を参照するためのリンク情報を前記一部の部分符号に埋め込むリンク情報埋め込みステップと、
前記一部の部分符号を第１装置に伝送する第１伝送ステップと、
前記第１伝送ステップと異なる伝送経路で前記他の部分符号を第２装置に伝送する第２伝送ステップとを有する画像符号化方法。
【請求項１３】
前記符号化ステップでは、前記画像を階層符号に符号化し、
前記分割ステップでは、前記階層符号の階層の境で前記全体符号を分割することを特徴とする請求項１２に記載の画像符号化方法。
【請求項１４】
前記リンク情報埋め込みステップでは、前記画像と前記第１装置のユーザとの組み合わせに対してアクセス権が設定されたポリシーテーブルに基づいて、前記一部の部分符号に前記リンク情報を埋め込むか否かを判断することを特徴とする請求項１２に記載の画像符号化方法。
【請求項１５】
前記符号化ステップでは、前記部分符号が互いに相似な構造を持ち、一方の部分符号を伸長するためには、対応する他の部分符号を伸長しておく必要がある一方向性の依存関係を持つように、前記画像を符号化することを特徴とする請求項１２に記載の画像符号化方法。
【請求項１６】
前記符号化ステップでは、離散コサイン変換方式によるＪＰＥＧ方式で前記画像を符号化し、
前記分割ステップでは、ＤＣ成分を前記一部の部分符号とし、ＡＣ成分を前記他の部分符号として前記全体符号を分割することを特徴とする請求項１５に記載の画像符号化方法。
【請求項１７】
前記分割ステップでは、ＤＣ成分およびＡＣ成分の一部を前記一部の部分符号とし、ＡＣ成分の残りの一部を前記他の部分符号として前記全体符号を分割することを特徴とする請求項１５に記載の画像符号化方法。
【請求項１８】
前記分割ステップでは、前記ＡＣ成分のなかで、前記ＤＣ成分に近く、オクターブ数の少ないＡＣ成分を前記一部の部分符号とし、他のＡＣ成分を前記他の部分符号とするように前記全体符号を分割することを特徴とする請求項１７に記載の画像符号化方法。
【請求項１９】
前記符号化ステップでは、階層型ウェーブレット変換符号化方式で前記画像を符号化し、
前記分割ステップでは、前記階層型ウェーブレット変換符号化方式における階層の境で前記全体符号を分割することを特徴とする請求項１５に記載の画像符号化方法。
【請求項２０】
前記分割ステップでは、輝度成分と色差成分との境で前記全体符号を分割することを特徴とする請求項１５に記載の画像符号化方法。
【請求項２１】
前記分割ステップでは、一部の領域と、該一部の領域以外の他の領域との境で前記全体符号を分割することを特徴とする請求項１５に記載の画像符号化方法。
【請求項２２】
前記分割ステップでは、前記一部の部分符号を含むＰＤＦファイルを生成することを特徴とする請求項１５に記載の画像符号化方法。
【発明の詳細な説明】
【技術分野】
【０００１】
本発明は、画像符号化装置に関し、特に、画像を符号化して他の装置に配信する画像符号化装置に関する。
【背景技術】
【０００２】
従来、コンテンツが符号化されて得られる一部の情報が暗号化された試用データを端末装置に送信し、この試用コンテンツデータを他の端末装置に転送させておき、試用データの高品質化を要求する端末装置に、試用データの暗号化された一部の情報を復号する鍵情報を送信することにより、コンテンツのセキュリティを確保した上で、試用データを端末装置に配信する際の負担を軽減するものが知られている(例えば、特許文献１参照）。
【特許文献１】特開２００２−３１１９６６号公報
【発明の開示】
【発明が解決しようとする課題】
【０００３】
しかしながら、このような従来の技術においては、試用データの暗号化された一部の情報を復号するための処理時間が端末装置にかかってしまうといった課題があった。
【０００４】
本発明は、このような従来の課題を解決するためになされたもので、画像の符号化データに対するセキュリティを確保した上で、画像の符号化データの試用データを配信する際の負荷を軽減する一方で、処理時間をかけさせずに、配信先の装置に高品質な符号化データを取得させることができる画像符号化装置を提供することを目的とする。
【課題を解決するための手段】
【０００５】
本発明の画像符号化装置は、画像を部分符号単位に分割できるように符号化する符号化部と、前記符号化部によって符号化された全体符号を一部の部分符号と少なくとも１つの他の部分符号とに分割する分割部と、前記他の部分符号を参照するためのリンク情報を前記一部の部分符号に埋め込むリンク情報埋め込み部と、前記一部の部分符号を第１装置に伝送する第１伝送部と、前記第１伝送部と異なる伝送経路で前記他の部分符号を第２装置に伝送する第２伝送部とを備えた構成を有している。
【０００６】
この構成により、本発明の画像符号化装置は、一部の部分符号を試用データとして第１装置に伝送することにより、画像の符号化データに対するセキュリティを確保した上で、試用データを配信する際の負荷を軽減する一方で、この試用データに埋め込まれたリンク情報に基づいて、第１装置に他の部分符号を第２装置から取得させるため、暗号の解除等にかかる処理時間をかけさせずに、第１装置に高品質な符号化データを取得させることができる。
【０００７】
なお、前記符号化部は、前記画像を階層符号に符号化し、前記分割部は、前記階層符号の階層の境で前記全体符号を分割するようにしてもよい。
【０００８】
また、本発明の画像符号化装置は、前記画像と前記第１装置のユーザとの組み合わせに対してアクセス権が設定されたポリシーテーブルを備え、前記リンク情報埋め込み部は、前記ポリシーテーブルに基づいて、前記一部の部分符号に前記リンク情報を埋め込むか否かを判断するようにしてもよい。
【０００９】
この構成により、本発明の画像符号化装置は、ユーザのアクセス権に応じた品質の符号化データを第１装置に取得させることができる。
【００１０】
また、前記符号化部は、前記部分符号が互いに相似な構造を持ち、一方の部分符号を伸長するためには、対応する他の部分符号を伸長しておく必要がある一方向性の依存関係を持つように、前記画像を符号化するようにしてもよい。
【００１１】
また、前記符号化部は、離散コサイン変換方式によるＪＰＥＧ方式で前記画像を符号化し、前記分割部は、ＤＣ成分を前記一部の部分符号とし、ＡＣ成分を前記他の部分符号として前記全体符号を分割するようにしてもよい。
【００１２】
また、前記分割部は、ＤＣ成分およびＡＣ成分の一部を前記一部の部分符号とし、ＡＣ成分の残りの一部を前記他の部分符号として前記全体符号を分割するようにしてもよい。
【００１３】
また、前記分割部は、前記ＡＣ成分のなかで、前記ＤＣ成分に近く、オクターブ数の少ないＡＣ成分を前記一部の部分符号とし、他のＡＣ成分を前記他の部分符号とするように前記全体符号を分割するようにしてもよい。
【００１４】
また、前記符号化部は、階層型ウェーブレット変換符号化方式で前記画像を符号化し、前記分割部は、前記階層型ウェーブレット変換符号化方式における階層の境で前記全体符号を分割するようにしてもよい。
【００１５】
また、前記分割部は、輝度成分と色差成分との境で前記全体符号を分割するようにしてもよい。
【００１６】
また、前記分割部は、一部の領域と、該一部の領域以外の他の領域との境で前記全体符号を分割するようにしてもよい。
【００１７】
また、前記分割部は、前記一部の部分符号を含むＰＤＦファイルを生成するようにしてもよい。
【００１８】
また、本発明の画像符号化方法は、画像符号化装置を用いて画像を符号化する画像符号化方法であって、画像を部分符号単位に分割できるように符号化する符号化ステップと、前記符号化ステップで符号化された全体符号を一部の部分符号と少なくとも１つの他の部分符号とに分割する分割ステップと、前記他の部分符号を参照するためのリンク情報を前記一部の部分符号に埋め込むリンク情報埋め込みステップと、前記一部の部分符号を第１装置に伝送する第１伝送ステップと、前記第１伝送ステップと異なる伝送経路で前記他の部分符号を第２装置に伝送する第２伝送ステップとを有する。
【００１９】
したがって、本発明の画像符号化方法は、一部の部分符号を試用データとして第１装置に伝送することにより、画像の符号化データに対するセキュリティを確保した上で、試用データを配信する際の負荷を軽減する一方で、この試用データに埋め込まれたリンク情報に基づいて、第１装置に他の部分符号を第２装置から取得させるため、暗号の解除等にかかる処理時間をかけさせずに、第１装置に高品質な符号化データを取得させることができる。
【００２０】
また、前記符号化ステップでは、前記画像を階層符号に符号化し、前記分割ステップでは、前記階層符号の階層の境で前記全体符号を分割するようにしてもよい。
【００２１】
また、前記リンク情報埋め込みステップでは、前記画像と前記第１装置のユーザとの組み合わせに対してアクセス権が設定されたポリシーテーブルに基づいて、前記一部の部分符号に前記リンク情報を埋め込むか否かを判断するようにしてもよい。
【００２２】
したがって、本発明の画像符号化方法は、ユーザのアクセス権に応じた品質の符号化データを第１装置に取得させることができる。
【００２３】
また、前記符号化ステップでは、前記部分符号が互いに相似な構造を持ち、一方の部分符号を伸長するためには、対応する他の部分符号を伸長しておく必要がある一方向性の依存関係を持つように、前記画像を符号化するようにしてもよい。
【００２４】
また、前記符号化ステップでは、離散コサイン変換方式によるＪＰＥＧ方式で前記画像を符号化し、前記分割ステップでは、ＤＣ成分を前記一部の部分符号とし、ＡＣ成分を前記他の部分符号として前記全体符号を分割するようにしてもよい。
【００２５】
また、前記分割ステップでは、ＤＣ成分およびＡＣ成分の一部を前記一部の部分符号とし、ＡＣ成分の残りの一部を前記他の部分符号として前記全体符号を分割するようにしてもよい。
【００２６】
また、前記分割ステップでは、前記ＡＣ成分のなかで、前記ＤＣ成分に近く、オクターブ数の少ないＡＣ成分を前記一部の部分符号とし、他のＡＣ成分を前記他の部分符号とするように前記全体符号を分割するようにしてもよい。
【００２７】
また、前記符号化ステップでは、階層型ウェーブレット変換符号化方式で前記画像を符号化し、前記分割ステップでは、前記階層型ウェーブレット変換符号化方式における階層の境で前記全体符号を分割するようにしてもよい。
【００２８】
また、前記分割ステップでは、輝度成分と色差成分との境で前記全体符号を分割するようにしてもよい。
【００２９】
また、前記分割ステップでは、一部の領域と、該一部の領域以外の他の領域との境で前記全体符号を分割するようにしてもよい。
【００３０】
また、前記分割ステップでは、前記一部の部分符号を含むＰＤＦファイルを生成するようにしてもよい。
【発明の効果】
【００３１】
本発明は、画像の符号化データに対するセキュリティを確保した上で、画像の符号化データの試用データを配信する際の負荷を軽減する一方で、処理時間をかけさせずに、配信先の装置に高品質な符号化データを取得させることができる画像符号化装置を提供することができる。
【発明を実施するための最良の形態】
【００３２】
以下、本発明の実施の形態について、図面を参照して説明する。なお、本実施の形態においては、本発明に係る画像符号化装置を複合機によって構成した画像配信システムについて説明する。
【００３３】
（第１の実施の形態）
図１に示すように、画像配信システム１は、複合機２と、サーバ装置３と、端末装置４とを備えている。本実施の形態において、端末装置４は、本発明に係る第１装置を構成し、サーバ装置３は、本発明に係る第２装置を構成する。
【００３４】
なお、図１において、それぞれ１つの複合機２と、サーバ装置３と、端末装置４とが示されているが、それぞれ複数の複合機と、サーバ装置と、端末装置とによって画像配信システム１を構成してもよい。
【００３５】
複合機２とサーバ装置３、複合機２と端末装置４、および、サーバ装置３と端末装置４との間は、伝送経路５乃至７によってそれぞれ接続されている。ここで、各伝送経路５乃至７は、ＷＡＮ（Wide Area Network）、ＬＡＮ（Local Area Network）もしくは無線通信網等、または、これらの組み合わせによって構成される。
【００３６】
図２に示すように、複合機２は、画像を読み込む画像読込部１０と、画像読込部１０に読み込まれた画像（以下、単に「読み込み画像」という。）を部分符号単位に分割できるように符号化する符号化部１１と、符号化部１１によって符号化された全体符号を一部の部分符号（以下、単に「第１部分符号」という。）と他の部分符号（以下、単に「第２部分符号」という。）とに分割する分割部１２と、第２部分符号を参照するためのリンク情報を第１部分符号に埋め込むリンク情報埋め込み部１３と、第１部分符号を端末装置４に伝送する第１伝送部１４と、第２部分符号をサーバ装置３に伝送する第２伝送部１５とを備えている。
【００３７】
より具体的なハードウェア構成としては、複合機２は、図３に示すように、ＣＰＵ（Central Processing Unit）２１と、ＲＡＭ（Random Access Memory）２２と、ＲＯＭ（Read Only Memory）２３と、ハードディスク装置２４と、伝送経路５、６を介してサーバ装置３および端末装置４と通信を行うための通信モジュール２５と、スキャナ２６とを備えている。
【００３８】
ＲＯＭ２３およびハードディスク装置２４には、複合機２を本発明に係る画像符号化装置として機能させるためにＣＰＵ２１に実行させるプログラムが格納されている。すなわち、ＣＰＵ２１は、ＲＡＭ２２を一時記憶領域として当該プログラムを実行することにより、符号化部１１、分割部１２、リンク情報埋め込み部１３、第１伝送部１４および第２伝送部１５を構成する。
【００３９】
通信モジュール２５は、ＣＰＵ２１と共に第１伝送部１４および第２伝送部１５を構成し、伝送経路５、６の種別に応じたモジュールによって構成される。また、スキャナ２６は、画像読込部１０を構成する。スキャナ２６には、不図示のＡＤＦ（Auto Document Feeder）が設けられていてもよい。
【００４０】
図２において、符号化部１１は、読み込み画像を階層符号に符号化するようになっている。具体的には、符号化部１１は、部分符号が互いに相似な構造を持ち、一方の部分符号を伸長するためには、対応する他の部分符号を伸長しておく必要がある一方向性の依存関係を持つように、読み込み画像を符号化するようになっている。
【００４１】
例えば、符号化部１１は、ＪＰＥＧ（Joint Photographic coding Experts Group）方式やＪＰＥＧ２０００方式等のように、マーカセグメントという予め定められた機能を果たすマークマーカを伴い、定められたフォーマットにしたがって読み込み画像を符号化するようになっている。本実施の形態において、符号化部１１は、離散コサイン変換方式によるＪＰＥＧ方式で読み込み画像を符号化するものとする。
【００４２】
分割部１２は、符号化部１１によって符号化された階層符号の階層の境で全体符号を第１部分符号と第２部分符号とを分割するようになっている。例えば、分割部１２は、全体符号に対して、マーカセグメントの境界や予め定められた境界で、互いにオーバラップしないよう全体符号を分割するよう、特定のマーカを検出する機能とバイト列をコピーする機能を有する。
【００４３】
本実施の形態において、分割部１２は、図４に示すように、ＤＣ成分を第１部分符号とし、ＡＣ成分を第２部分符号として全体符号を分割するものとする。また、分割部１２は、第１部分符号からＰＤＦ（Portable Document Format）ファイルを生成するようになっている。
【００４４】
図２において、第２伝送部１５は、伝送経路５を介して第２部分符号をサーバ装置３に伝送するようになっている。ここで、サーバ装置３は、複合機２から伝送された第２部分符号を格納したときに、第２部分符号のリンク情報を複合機２に返信するようになっている。リンク情報は、第２部分符号を格納したサーバ装置３のアドレス、ディレクトリ名およびファイル名から構成されるＵＲＬ（Uniform Resource Locator）で表される。
【００４５】
リンク情報埋め込み部１３は、第２伝送部１５によって伝送された第２部分符号の格納先を表すリンク情報を第１部分符号がファイル化されたＰＤＦファイルに埋め込むようになっている。第１伝送部１４は、伝送経路６を介して第１部分符号がファイル化されたＰＤＦファイルを端末装置４に伝送するようになっている。
【００４６】
図５に示すように、端末装置４は、複合機２から伝送されたファイルを受信する第１受信部３０と、受信されたファイルからリンク情報を取得するリンク情報取得部３１と、リンク情報に基づいて第２部分符号をサーバ装置３から受信する第２受信部３２と、第１部分符号と第２部分符号とを合成する合成部３３と、第１部分符号や合成部３３によって合成された符号を伸長する伸長部３４と、伸長された符号を画像表示する画像表示部３５とを備えている。
【００４７】
より具体的なハードウェア構成として、図示は省略するが、端末装置４は、ＣＰＵ、ＲＡＭ、ＲＯＭ、ハードディスク装置、通信モジュール、キーボード装置、ポインティングデバイス、メモリカードおよびモニタ装置等を有する一般的なコンピュータ装置によって構成され、画像を閲覧するためのブラウザとして機能するようになっている。
【００４８】
第１受信部３０および第２受信部３２は、当該コンピュータ装置のＣＰＵおよび通信モジュールによって構成され、リンク情報取得部３１、合成部３３および伸長部３４は、ＣＰＵによって構成される。また、画像表示部３５は、当該コンピュータ装置のＣＰＵ、メモリカードおよびモニタ装置によって構成される。
【００４９】
特に、合成部３３は、各部分符号を順番に結合することによって、伸長可能な符号に合成するようになっており、例えば、バイト列を読み込むメモリと、バイト列を記録するメモリと、転送バイト数をカウントするカウンタとによって構成されている。
【００５０】
伸長部３４は、予め定められたフォーマットに従って記録された符号列を解釈する伸長器によって構成され、例えば、ＪＰＥＧ伸長器やＪＰＥＧ２０００伸長器によって構成される。
【００５１】
図６は、複合機２の動作を示している。まず、画像読込部１０によって画像が読み込まれると（ステップＳ１）、読み込み画像が部分符号単位に分割できるように符号化部１１によって符号化される（ステップＳ２）。
【００５２】
次に、読み込み画像の全体符号が、分割部１２によって第１部分符号と第２部分符号とに分割される（ステップＳ３）。ここで、第１部分符号がファイル化される一方で、第２伝送部１５によって第２部分符号がサーバ装置３に伝送される（ステップＳ４）。
【００５３】
サーバ装置３からリンク情報が受信されると、受信されたリンク情報が、リンク情報埋め込み部１３によって、ファイル化された第１部分符号に埋め込まれる（ステップＳ５）。最後に、ファイル化された第１部分符号は、端末装置４に伝送される（ステップＳ６）。
【００５４】
図７は、端末装置４の動作を示している。まず、複合機２から伝送されたファイル化された第１部分符号が、第１受信部３０に受信されると（ステップＳ１１）、第１部分符号が伸長部３４によって伸長され（ステップＳ１２）、画像表示部３５に表示される（ステップＳ１３）。
【００５５】
ここで、キーボード装置やポインティングデバイス等を介してユーザから高画質画像が要求されると（ステップＳ１４）、ファイル化された第１部分符号に埋め込まれたリンク情報が、リンク情報取得部３１によって取得される（ステップＳ１５）。
【００５６】
次に、リンク情報取得部３１によって取得されたリンク情報に基づいて、第２受信部３２によって、第２部分符号がサーバ装置３に要求される（ステップＳ１６）。ここで、第２部分符号が第２受信部３２に受信されると（ステップＳ１７）、第１部分符号と第２部分符号とが合成部３３によって合成され（ステップＳ１８）、合成された全体符号は、伸長部３４によって伸長され（ステップＳ１２）、画像表示部３５に表示される（ステップＳ１３）。
【００５７】
以上に説明したように、本発明の第１の実施の形態としての画像配信システム１は、第１部分符号を試用データとして複合機２から端末装置４に伝送することにより、読み込み画像の全体符号に対するセキュリティを確保した上で、試用データを配信する際の複合機２の負荷を軽減する一方で、この試用データに埋め込まれたリンク情報に基づいて、端末装置４に第２部分符号をサーバ装置３から取得させるため、暗号の解除等にかかる処理時間をかけさせずに、端末装置４に高品質な符号化データを取得させることができる。
【００５８】
なお、本実施の形態においては、分割部１２が、読み込み画像の全体符号を第１部分符号と第２部分符号との２つの符号に分割し、第１伝送部１４から端末装置４に第１部分符号を伝送し、第２伝送部１５からサーバ装置３に第２部分符号を伝送する例について説明したが、本発明においては、図８に示すように、分割部１２が、読み込み画像の全体符号を３つ以上の符号に分割し、第２伝送部１５が、第１部分符号を除く他の部分符号をサーバ装置３に送信するようにしてもよい。
【００５９】
この場合には、図９に示すように、リンク情報には、複数のＵＲＬが含まれることとなり、端末装置４の合成部３３は、サーバ装置３から順次取得された部分符号を合成していくことによって、ユーザの要求に応じた品質の画像を画像表示部３５に表示させることができるようになる。
【００６０】
また、この場合には、第２伝送部１５が、第１部分符号を除く他の部分符号をそれぞれ異なるサーバ装置に送信するようにしてもよい。
【００６１】
また、本実施の形態において、分割部１２は、ＤＣ成分を第１部分符号とし、ＡＣ成分を第２部分符号として全体符号を分割するものとして説明したが、本発明において、分割部１２は、ＤＣ成分とＡＣ成分の一部とを第１部分符号とし、ＡＣ成分の残りの一部を第２部分符号として全体符号を分割するようにしてもよい。
【００６２】
この場合には、分割部１２は、図１０乃至図１２に示すように、ＡＣ成分のなかで、ＤＣ成分に近く、オクターブ数の少ないＡＣ成分を第１部分符号とし、他のＡＣ成分を第２部分符号とするように全体符号を分割するように構成される。
【００６３】
また、本実施の形態において、符号化部１１は、離散コサイン変換方式によるＪＰＥＧ方式で読み込み画像を符号化するものとして説明したが、本発明において、符号化部１１は、階層型ウェーブレット変換方式で読み込み画像を符号化するようにしてもよい。この場合には、分割部１２は、図１３に示すように、階層の境で全体符号を分割するように構成される。
【００６４】
また、分割部１２は、輝度成分と色差成分との境で全体符号を分割するようにしてもよく、一部の領域（以下、「関心領域」という。）と関心領域以外の領域との境で分割するようにしてもよい。
【００６５】
（第２の実施の形態）
本発明の第２の実施の形態は、本発明の第１の実施の形態に係る複合機２に代えて、複合機４２を設けた点が相違する。図１４に示すように、複合機４２は、複合機２に対して、リンク情報埋め込み部１３に代えて、リンク情報埋め込み部４３を設け、ポリシーテーブル４６を新たに設けた点が相違する。
【００６６】
ポリシーテーブル４６は、ハードディスク装置２４によって構成され、ポリシーテーブル４６には、読み込み画像と端末装置４のユーザとの組み合わせに対するアクセス権が設定されている。
【００６７】
リンク情報埋め込み部４３は、ポリシーテーブル４６に基づいて、第１部分符号にリンク情報を埋め込むか否か、また有効とするか否かを判断するようになっている。ここで、リンク情報埋め込み部４３が第１部分符号にリンク情報を埋め込むと判断した場合には、本発明の第１の実施の形態と同様に、端末装置４は、リンク情報に基づいて、高品質な符号化データを取得することができる。
【００６８】
一方、リンク情報埋め込み部４３が第１部分符号にリンク情報を埋め込まないと判断した場合には、端末装置４は、高品質な符号化データを取得することができなくなる。
【００６９】
なお、前述したように、分割部１２が、読み込み画像の全体符号を３つ以上の符号に分割し、第２伝送部１５が、第１部分符号を除く他の部分符号をサーバ装置３に送信する場合には、ポリシーテーブル４６を図１５に示すように設定することにより、ユーザのアクセス権に応じた品質の符号化データを端末装置４に取得させることができる。
【図面の簡単な説明】
【００７０】
【図１】本発明の第１の実施の形態に係る複合機によって構成した画像配信システムのブロック図である。
【図２】本発明の第１の実施の形態に係る複合機のブロック図である。
【図３】本発明の第１の実施の形態に係る複合機のハードウェア構成図である。
【図４】本発明の第１の実施の形態に係る複合機を構成する分割部による分割例を示す概念図である。
【図５】本発明の第１の実施の形態に係る端末装置のブロック図である。
【図６】本発明の第１の実施の形態に係る複合機の動作を示すフロー図である。
【図７】本発明の第１の実施の形態に係る端末装置の動作を示すフロー図である。
【図８】本発明の第１の実施の形態に係る複合機を構成する分割部によって読み込み画像の全体符号を３つ以上の符号に分割したときの例を示す概念図である。
【図９】本発明の第１の実施の形態に係る端末装置を構成する合成部によって図８に示した部分符号を合成するときの例を示す概念図である。
【図１０】本発明の第１の実施の形態に係る複合機を構成する分割部による他の第１の分割例を示す概念図である。
【図１１】本発明の第１の実施の形態に係る複合機を構成する分割部による他の第２の分割例を示す概念図である。
【図１２】本発明の第１の実施の形態に係る複合機を構成する分割部による他の第３の分割例を示す概念図である。
【図１３】本発明の第１の実施の形態に係る複合機を構成する分割部による他の第４の分割例を示す概念図である。
【図１４】本発明の第２の実施の形態に係る複合機のブロック図である。
【図１５】本発明の第２の実施の形態に係る複合機を構成するポリシーテーブルの設定例を示す概念図である。
【符号の説明】
【００７１】
１  画像配信システム
２、４２  複合機
３  サーバ装置
４  端末装置
５、６、７  伝送経路
１０  画像読込部
１１  符号化部
１２  分割部
１３、４３  リンク情報埋め込み部
１４  第１伝送部
１５  第２伝送部
２１  ＣＰＵ
２２  ＲＡＭ
２３  ＲＯＭ
２４  ハードディスク装置
２５  通信モジュール
２６  スキャナ
３０  第１受信部
３１  リンク情報取得部
３２  第２受信部
３３  合成部
３４  伸長部
３５  画像表示部
４６  ポリシーテーブル
【図２】
2010109691.tif 000003
【図３】
2010109691.tif 000004
【図４】
2010109691.tif 000005
【図５】
2010109691.tif 000006
【図６】
2010109691.tif 000007
【図７】
2010109691.tif 000008
【図８】
2010109691.tif 000009
【図９】
2010109691.tif 000010
【図１０】
2010109691.tif 000011
【図１１】
2010109691.tif 000012
【図１２】
2010109691.tif 000013
【図１３】
2010109691.tif 000014
【図１４】
2010109691.tif 000015
【図１５】
2010109691.tif 000016
【図１】
2010109691.tif 000017